(57)【要約】【課題】従来の緯度・経度表記でなく、新しい位置情報の方法であり、表示、認識、入力、コンピュータによるデータ処理、等に関して、効率的に地球上や地図上の位置情報を扱いやすくする事が可能な地球上および地図上の位置情報表示方法およびそれを用いた地図と座標を提供する。【解決手段】地図上の任意の位置の緯度・経度の数値を、下記数式に基づき緯度該当数値ＯＷＰと経度該当数値ＯＷＱとして１０進法で表示する。  式  緯度数値をＰとし、経度数値をＱとした場合、    緯度該当数値ＯＷＰ＝０．５＋Ｐ／３６０    経度該当数値ＯＷＱ＝０．５＋Ｑ／３６０【選択図】        図１
2010061092.tif 000002
【特許請求の範囲】
【請求項１】
地図上の任意の位置の緯度・経度の数値を、下記数式に基づき緯度該当数値ＯＷＰと経度該当数値ＯＷＱとして１０進法で表示することを特徴とする地球上および地図上の位置情報表示方法。
＜数１＞
緯度数値をＰとし、経度数値をＱとした場合、
緯度該当数値ＯＷＰ＝０．５＋Ｐ／３６０
経度該当数値ＯＷＱ＝０．５＋Ｑ／３６０
【請求項２】
緯度該当数値ＯＷＰと経度該当数値ＯＷＱのそれぞれに１００００００００（１億、１０の８乗とも言う）を乗じて生じた数値、整数部分８桁と小数点以下の任意の桁を採用し、南北方向および東西方向をそれぞれの数値で表した請求項１記載の地球上および地図上の位置表示方法。
【請求項３】
請求項２の地球上および地図上の位置表示方法で生じた８桁の整数部の全数字を用いる事なく８桁の整数部分の任意の桁部分の数値を採用し、南北方向および東西方向をそれぞれの数値で表した請求項２記載の地球上および地図上の位置表示方法。
【請求項４】
請求項２の地球上および地図上の位置表示方法で生じた数値の、小数点の前後の任意桁の数値を採用し、特定範囲において、位置情報の分解能を高め南北方向および東西方向をそれぞれの数値で表した請求項２記載の地球上および地図上の位置表示方法。
【請求項５】
請求項２の地球上および地図上の位置表示方法で生じた数値の整数部分の南北方向８桁、東西方向８桁を基本とし、計１６桁とする請求項２記載の地球上および地図上の位置表示方法。
【請求項６】
請求項５の南北方向８桁、東西方向８桁のそれぞれの整数部分から、南北方向、東西方向それぞれの中５桁を取り出して、計１０桁とし、都市名と組み合わせる請求項５記載の地球上および地図上の位置表示方法。
【請求項７】
請求項１の地球上および地図上の位置表示方法に基づき、縦軸に０〜１の値を持っているＸ軸を南緯１８０度・南緯９０度（南極点）・南緯０度（北緯０度、赤道になる）・北緯９０（北極点）・北緯１８０度はそれぞれＸ＝０．００・Ｘ＝０．２５・Ｘ＝０．５０・Ｘ＝０．７５・Ｘ＝１．００となるように、さらに横軸に０〜１の値を持っているＹ軸を西経１８０度・西経０度（東経０度、一応日付変更線に近い）・東経１８０度はそれぞれＹ＝０．００・Ｙ＝０．５０・Ｙ＝１．００となるように設定し、このＸＹ座標の中に正距円筒図法の地図を置くことを特徴とした地球上および地図上の位置表示方法を用いた地図と座標。
【発明の詳細な説明】
【技術分野】
【０００１】
本発明は、従来の緯度・経度の表現法に代わるものとして、地球上および地図上の位置情報を１０進法にする為の変換方法と、その変換により得た数値による地球上および地図上の位置情報表示方法およびそれを用いた地図と座標に関するものである。
【背景技術】
【０００２】
従来からある位置情報を表わす手段としては、地名・住所表示等が一般的であるが、これには非常にローカルなものも多く、他の地方の者には判り難いし、読み方さえ判らない場合も多い。又、地名・住所表示等だけでは、自分が現在いる場所が判らないので少なくとも地図情報との組み合わせが必要となる。
【０００３】
他面、近時のように国際的にも位置情報が重要になり、また、位置以外の関連情報を含む地理情報システム（ＧＩＳ）が動き出してくると、位置情報のコンピュータ化・デジタル化は不可欠である。しかし、従来の地名・住所表示等に基づく位置情報をそのままコンピュータ化・デジタル化していては、コンピュータへ入・出力する際やその前・後の人が介在する部分で、手間や時間がかかる上に情報が不正確になってしまいがちであった。
【０００４】
そこで、地名・住所表示等以外の手段で、位置情報を正確かつ判り易く表現することが必要となるが、それには従来からも座標やメッシュコードで特定位置を表現する方式が存在していた。この座標やメッシュコードを用いて位置を特定することは、近時は小学校低学年生も学んでおり、誰もが知っている簡単で正確な手段である。例えば日常的に用いることの多い地域的な地図でも、縦・横の線で区分して区画化（メッシュ化）し、縦・横の欄外に付した符号と別に記載した索引により特定位置を検索することが従来から行われている。
【０００５】
下記特許文献１もその一例であり、世界をまず１８個のブロックに分割し、該各ブロック内を東西と南北に各１００個ずつのメッシュに分割し、更に各メッシュ内を細分割して座標又細メッシュ化することを特徴としている。
【特許文献１】特開２０００−１８１３４５号公報
【０００６】
この特許文献１では、このようにメッシュ化することにより、地球的規模では上記の各々に付けた番号を順に表示し、又日常的な狭い地域内ではメッシュ番号以下又はメッシュ番号も省略して表示することにより、地図上を縦・横の線で区分し欄外に付した符号等で各区画を表示可能とした場合に、その区画や符号が各地図毎に異なるため汎用性に欠けるという従来の欠点を解消しようとする。
【０００７】
ところで、地球上や地図上の位置情報を示すのには緯度・経度の表示方法がある。緯度・経度のうち、地理学的経緯度は、南北を表す緯度と東西を表す経度の２つの要素から成り立つ。赤道を０°とし、南北へそれぞれ９０°まで表し、北緯９０°・南緯９０°はそれぞれ北極・南極である。この角度は、その点に接する線と北極と南極を結ぶ地軸との成す角を表す。
【０００８】
経度は、旧グリニッジ天文台跡（ロンドン）を通る南北の線を０°とし、東西へそれぞれ１８０°まで表したものである。東経１８０°と西経１８０°は同じ場所を示す。（南北に通る線を子午線といい、旧グリニッジ天文台跡を通る基準となる子午線を本初子午線という。）この角度は、その点を通る子午線と本初子午線との角度を表す。
【０００９】
緯度・経度は一般に度・分・秒で表す。分・秒は時間と同じように６０進法になっている。ただし、秒に小数点以下の数値をつける場合は秒の後ろに１０進法で表す。東経１３５度２６分７秒２５３９（１３５度２６分７．２５３９秒）
【００１０】
なお、度を（  °）、分を（  ′）、秒を（  ″）で示すこともある。東経１３５°２６′７″２５３９
【００１１】
又、分・秒を使わずに度だけで緯度・経度を表わす場合もある。この場合には、１３５度２６分７秒２５３９を１３５．４３５３４８３度のように１０進法で表わす。インターネットＧＩＳ等の場合にはこのような形で使用されていることが多い。（例：東経１３５．４３５３４８３度）
【００１２】
緯度と経度は、身近な様々なところで用いられており、最近では、携帯電話もＧＰＳや基地局から算出した場所を緯度・経度で管理している。
【００１３】
このような緯度・経度の分秒表示は、従来から慣用的に使用されるものであるが、その精度は、緯度によって相違するものの、北緯３５度付近の場合、０．１秒が約２．５ｍに相当し、５桁の数字により表示される値としては、表示の誤差範囲が約２．５ｍとなって、表示桁数のわりには、正確な表示を行なうことができにくいという問題があった。
【００１４】
つまり、緯度・経度の小数点以下の分秒表示が６０進法で表示されるため、分秒の表示精度は、４桁表示の場合、１／６０分×６０秒＝１／３６００となり、１０進法での４桁表示の場合、１／１００００の精度となって、６０進法の表示では、半分以下の精度でしか表示できない。
【００１５】
さらに、ある地点からある地点までの距離（東西距離と南北距離）を求める場合、分秒の減算を行なうと共に、縮小率等を乗算する必要があるが、分秒は６０進法であるために、その計算が非常にしにくいという問題があった。
【００１６】
これに対して、下記特許文献２は、地図を表示する場合、地図データベースから地図データを読み出し、表示しようとする位置の周辺の地図を描画し、ディスプレイ上にその地図画面を表示するのに、その現在位置の緯度・経度を１０進法緯度・経度算出手段によって算出される数値で表示するようにしたものである。なお、この特許文献２は、１°未満を小数点以下の１０進数で表示するもので、例えば東京のある地点の場合、北緯３５．４２５３°、東経１３９．４４２６°のように算出される。
【特許文献２】特開２００２−７２８６７号公報
【００１７】
この特許文献２の地図表示装置では、従来のように、緯度・経度の小数点以下の表示を分秒により６０進法で表示する場合と比べ、４桁の分秒表示の場合、その精度は、１／６０分×６０秒＝１／３６００であるが、１０進法での小数点以下４桁表示の場合、その精度は、１／１００００となって、位置の表示精度を距離的には約２．７８倍に向上させることができる。
【００１８】
又、分秒表示に代えて１０進法で表示した場合、平面的には、２．７８×２．７８≒７．７２であるから、約７．７倍の数の地図上の地点を指示することが可能となり、地図上の地点の指示精度が大きく向上する。さらに、表示された地図上で、ある地点からある地点までの距離（東西距離と南北距離）を求める場合、緯度・経度の減算や縮小率等の乗算を行なうことになるが、１０進法で計算することができるから、使用者は筆算等で容易に距離を求めることができる。
【発明の開示】
【発明が解決しようとする課題】
【００１９】
前記メッシュ化することにより、地球的規模においては上記の各々に付けた番号を順に表示する方法では、縦・横の欄外に特定の符号を付す作業とその位置を検索する特定の索引テーブルを必要とし、複雑である。
【００２０】
これに対して前記のように、地球上や地図上の位置情報を示すのには緯度・経度の表示方法があり、これらには度分秒（°′″）で表す方法と、度以下を１０進法で表す方法がある。
【００２１】
伝統的な度・分・秒（°′″）で表わす場合、緯度・経度のそれぞれに接頭辞的な南緯、北緯、西経、東経の区別が必ず必要である。しかし特定の条件の時には特に明記しない場合がある。例えば、明らかに日本国内の地図の場合、北緯であり東経だからである。しかし西経０度（東経０度とも表現できる）近くのロンドンやパリの付近では常に西経、東経を注意しなければならない。又赤道直下付近（南緯０度、北緯０度とも表現できる）の南米エクアドルの首都キトの付近では常に南緯、北緯を注意しなければならない。
【００２２】
度以下１０進法で表す方法についても同様であり、緯度の場合、南緯・北緯に代わる、−・＋の符号が必要となる。同様に経度の場合、西経・東経に代わる、−・＋の符号が必要となる。
【００２３】
前記特許文献２等でも、北緯をＮで東経をＥで表し、Ｎ３５．４２５３°、Ｅ１３９．４４２６°のように１０進法で表示することも出来るとある。
【００２４】
又、度分秒（°′″）で表す方法と、度以下１０進法で表す方法の両表示方法とも度以上の部分について述べると、緯度については１８０度を２分割し９０度単位で表し、それぞれの９０度に南緯・北緯あるいは−・＋を付して表している。経度については３６０度を２分割し１８０度単位で表し、それぞれの１８０度に西経・東経あるいは−・＋で付して表している。この緯度の１８０度と、経度の３６０度との違いが、度以上を含めた位置情報の緯度・経度の１０進法表記を難しくしている。
【００２５】
両表示方法とも特定の地点を表わす場合、経度の方が１桁多い場合があり、日本国の場合、東京タワーを例に取ると北緯３５度、東経１３９度（度以下省略）となり２桁と３桁と桁数が同一でない。この不整合は、コンピュータ等でデジタルデータとして扱う場合、桁数の大きな方に統一される場合が多い。この不統一はコンピュータでデータ処理する場合、余分なデータ量となる場合がある。
【００２６】
又、度・分・秒で表す方法においては、分について６０進法、又、秒についても６０進法である。さらにこの度・分・秒で表す方法においては、秒に小数点がついた秒以下については１０進法になっている。しかし、度以下については、度以下１０進法の表す方法では文字通り度以下が１０進法で統一されている。だが、この方法においても度以上は緯度・経度それぞれ最大値が９０度・１８０度と統一されていない。
【００２７】
このように度分秒で表す方法と度以下１０進法で表す方法ともに、度以上から度以下までの全体として１０進法で統一されておらず表示方法自体が単純ではない。
【００２８】
この表示自体が単純でないという事は、文字・数字による入力において、携帯電話での入力、コンピュータシステムにおけるキーボードの様なものでの入力、これらはいずれも、人の入力に対する負荷が大きいといえる。さらに東経・西経・＋・−等注意しなければならない事も多い。
【００２９】
現在これほどまでにＧＰＳ（全地球測位システム）が普及し、地球規模での位置確認ができ、様々な品々の物流において、時空間を追跡できるようになった。トレーサビリティ（生産物や製造物あるいは産業廃棄物等の流通経路を追跡が可能な状態をいう。直訳は追跡可能性と言う）という概念等もその影響のひとつである。
【００３０】
当然ながら、物流に関わる大手運送会社はＧＰＳ・ＩＴＳ（高度道路交通システム）・ＧＩＳ（地理情報システム）等をコンピュータシステムに取り入れて総合的に物・人・運送機材・スケジュール・運賃・送料等を管理している。
【００３１】
又、カーナビやＧＰＳ機能内蔵の携帯電話がＩＴＳと連携をとり、車両、船舶および人までをも道案内してくれる。このような状況下だからこそ、沢山の普通の人が位置情報を必要とする時代に突入した。
【００３２】
このように、ＧＰＳ機能内蔵の携帯電話（カーナビも含む）が日常生活に必要不可欠になりつつある現状からすると、大勢の人が位置情報の入力、表示、認識、伝達に関わってくる。
【００３３】
この現時点で従来から使用されて唯一といえる緯度・経度による地球上および地図上の位置情報では人に対する負荷が大きいといえる。とうぜん伝達、確認等も複雑性から負荷はある程度存在する。中でも特に入力の負荷が大きい。
【００３４】
本発明の目的は、従来の緯度・経度表記でなく、新しい位置情報の方法であり、表示、認識、入力、コンピュータによるデータ処理、等に関して、効率的に地球上や地図上の位置情報を扱いやすくする事が可能な地球上および地図上の位置情報表示方法を提供することにある。
【課題を解決するための手段】
【００３５】
本発明は前記目的を達成するため、請求項１記載の本発明は、地球上および地図上の位置情報表示方法として、地図上の任意の位置の緯度・経度の数値を、下記数式に基づき緯度該当数値ＯＷＰと経度該当数値ＯＷＱとして１０進法で表示することを要旨とするものである。
＜数１＞
緯度数値をＰとし、経度数値をＱとした場合、
緯度該当数値ＯＷＰ＝０．５＋Ｐ／３６０
経度該当数値ＯＷＱ＝０．５＋Ｑ／３６０
【００３６】
経度は赤道を例に取ると西経１８０度から東回りに東経１８０度まで、地球１周して３６０度ある。一方緯度は南緯９０度から赤道を経由し北緯９０度までの１８０度である。
【００３７】
緯度・経度のそれぞれ度分秒（°′″）で表す方法と、度以下１０進法で表す方法のそれぞれの場合でも度以上で表す部分が緯度は１８０度、経度は３６０度である事は避けられずこれが、緯度・経度全ての位、桁について１０進法にする事を複雑にした。本発明は、その１８０度：３６０度＝１：２の問題を避けるべく新しい発想、概念にて解決を試みた。
【００３８】
地球上および地図上の任意の位置は緯度・経度で表されるが、請求項１記載の本発明によれば、経度は赤道を例に取ると西経１８０度から東回りに東経１８０度まで、地球１周して３６０度で表現され、一方緯度は南緯９０度から赤道を経由し北緯９０度までの１８０度で表現される。緯度について、赤道から南極点を経由して地球の裏側の赤道まで延長しその裏側の赤道を南緯１８０度、同様に赤道から北極点を経由して地球の裏側の赤道まで延長しその裏側の赤道を北緯１８０度とみなし、緯度も１周３６０度の考えを取り入れた。
【００３９】
すなわち、緯度について、赤道から南極点を経由して地球の裏側の赤道まで延長しその裏側の赤道を南緯１８０度、同様に赤道から北極点を経由して地球の裏側の赤道まで延長しその裏側の赤道を北緯１８０度、と見なし、緯度も１周３６０度の考えを取り入れた。緯度・経度共に３６０度とみなし、各位置情報を、度を含め１０進法で変換し表示、入力とも簡単にした。
【００４０】
本発明によれば、これにより緯度・経度共に３６０度で表現される。その緯度・経度による１８０度：３６０度＝１：２の問題が３６０度：３６０度＝１：１になり、数的な処理が緯度・経度の位置情報を含めての１０進法で変換し、簡単、単純、明解に表示できる。
【００４１】
請求項２記載の本発明は、緯度該当数値と経度該当数値のそれぞれに１００００００００（１億、１０の８乗とも言う）を乗じて生じた数値、整数部分８桁と小数点以下の任意の桁までを採用し、南北方向および東西方向をそれぞれの数値で表したことを要旨とするものである。
【００４２】
請求項２記載の本発明によれば、緯度方向は２５００００００〜７５００００００（中心の５０００００００は赤道となる）の範囲内にて小数点を含む座標値を持つ。同様に経度方向は０〜１００００００００（中心の５０００００００はイギリス・旧グリニッジ天文台）の範囲内にて小数点を含む座標値を持つ。
【００４３】
請求項２記載の本発明によれば、緯度該当数値と経度該当数値のそれぞれに１００００００００（１億、１０の８乗とも言う）を乗じて生じた数値、整数部分８桁と小数点以下の任意の桁までを採用し、南北方向および東西方向をそれぞれの数値で表わすことができる。
【００４４】
これにより［南緯１８０度］・［南緯９０度（南極点）］・［南緯０度（北緯０度、これは赤道になる）］・［北緯９０度（北極点）］・［北緯１８０度］はそれぞれ［００００００００．０００・・・］・［２５００００００．０００・・・］・［５０００００００．０００・・・］・［７５００００００．０００・・・］・［１００００００００．０００・・・］で表す。さらに［西経１８０度（東経１８０度、一応日付変更線に近い）］・［西経０度（東経０度、ロンドンにある旧グリニッジ天文台跡を通る）］・［東経１８０度（西経１８０度、一応日付変更線に近い）］はそれぞれ［００００００００．０００・・・］・［５０００００００．０００・・・］・［１００００００００．０００・・・］で表す。
【００４５】
請求項３記載の本発明は、請求項２の地球上および地図上の位置表示方法で生じた８桁の整数部の全数字を用いる事なく８桁の整数部分の任意の桁部分の数値を採用し、南北方向および東西方向をそれぞれの数値で表したことを要旨とするものである。
【００４６】
請求項３記載の本発明によれば、様々な種類の地図のスケール・縮尺に応じて、地図の枠内、枠外に目盛として任意の整数部分を座標として採用した簡潔な地図が得られる。世界全図やヨーロッパ全図（１／千万）等は上位２桁の表記で十分であり、日本全図（１／３百万）は上位３桁で十分である。又国土地理院発行の２万５千分の１等は上位５桁かあるいは中３桁（上位から３，４，５桁目を表記）で十分実用になる。この場合地図の枠外にその旨注記すれば十分である。
【００４７】
請求項４記載の本発明は、請求項２の地球上および地図上の位置表示方法で生じた数値の、小数点の前後の任意桁の数値を採用し、特定範囲において、位置情報の分解能を高め南北方向および東西方向をそれぞれの数値で表したことを要旨とするものである。
【００４８】
請求項４記載の本発明によれば、小数点の前後の数値の精度は小数点以上１桁が南北方向４０ｃｍであり、小数点以下１桁が４ｃｍである。小数点以下２桁目は４ｍｍとなり、電信柱やマンホールの芯の位置等十分な精度を持ち、その精度により土木・建築関係等の管理に十分有効である。さらに小数点以下３桁目は０．４ｍｍとなる。
【００４９】
請求項５記載の本発明は、請求項２の地球上および地図上の位置表示方法で生じた数値の整数部分の南北方向８桁、東西方向８桁を基本とし、計１６桁とすることを要旨とするものである。
【００５０】
請求項５記載の本発明によれば、整数部分８桁を基本とし、南北方向８桁、東西方向８桁の計１６桁の基本表記を言う。位置情報数値としては一定以上の精度を持つ。この８桁×８桁の末尾の精度は南北方向で４０ｃｍ、東西方向４０ｃｍ以下なので実際の生活において混同の可能性は殆どない。物流の世界にて、数字のみで地球規模でのドアｔｏドア配送が能率的にできる。
【００５１】
請求項６記載の本発明は、請求項５の南北方向８桁、東西方向８桁のそれぞれの整数部分から、南北方向、東西方向それぞれの中５桁を取り出して、計１０桁とし、都市名と組み合わせたことを要旨とするものである。
【００５２】
請求項６記載の本発明によれば、都市名＋１０桁であり、Ｗｅｂあるいは携帯電話や紙媒体での場所の特定に種々利用できる。又、各都市内においては、桁数の少ない数字だけなので、電話番号のように記録しやすく又覚えやすいので、タクシーの利用や友人宅等を訪れる時の住所代わりに用いることができる。
【００５３】
請求項７記載の本発明は、地球上および地図上の位置表示方法を用いた地図と座標として、請求項１の地球上および地図上の位置表示方法に基づき、縦軸に０〜１の値を持っているＸ軸を南緯１８０度・南緯９０度（南極点）・南緯０度（北緯０度、赤道になる）・北緯９０（北極点）・北緯１８０度はそれぞれＸ＝０．００・Ｘ＝０．２５・Ｘ＝０．５０・Ｘ＝０．７５・Ｘ＝１．００となるように、さらに横軸に０〜１の値を持っているＹ軸を西経１８０度・西経０度（東経０度、一応日付変更線に近い）・東経１８０度はそれぞれＹ＝０．００・Ｙ＝０．５０・Ｙ＝１．００となるように設定し、このＸＹ座標の中に正距円筒図法の地図を置くことを要旨とするものである。
【００５４】
請求項７記載の本発明によれば、地図あるいは座標として位置情報を扱いやすくなったものが得られる。
【発明の効果】
【００５５】
以上述べたように本発明の地球上および地図上の位置情報表示方法およびそれを用いた地図と座標は、緯度・経度が連続性のある１０進法による数値のみで表現でき、これにより緯度・経度の持つ南緯、北緯、東経、西経の区別のある煩わしさ、あるいは−、＋のある煩わしさ、あるいは分秒の６０進法の表現の煩わしさ、あるいは度についての一方が３桁あり片方が２桁までとその不整合性等、これら全てが解決される。
【００５６】
又、世界中の位置情報が単純な方法で１０進法化され、位置情報の表示、認識、入力を単純、効率的にし、位置情報に関する様々な分野の生産性をあげることができる。
【００５７】
今日における目覚しいコンピュータの発展により、ＧＰＳ（全地球測位システム）が普及し、ＧＩＳ（地理情報システム）の進歩は地球規模、さらに小さく狭い地域においても、人を含めた物流に影響を与えている。トレーサビリティ（生産物や製造物あるいは産業廃棄物等の流通経路を追跡が可能な状態をいう。直訳は追跡可能性と言う）という概念等もその影響のひとつである。
【００５８】
又、カーナビやＧＰＳ機能内蔵の携帯電話がＩＴＳ（高度道路交通システム）と連携をとり、車両、船舶および人までをも道案内してくれる。
【００５９】
このような状況下だからこそ、沢山の普通の人が位置情報を必要とする時代に突入し、効率的に地球上や地図上の位置情報を扱いやすくする事が可能な本発明は社会に貢献するものとなる。
【００６０】
さらに、本発明によれば、家屋等より小さな構造物、特に電信柱やマンホール等についても１０進法表記ゆえに表示・認識・入力が単純かつ効率的になりコンピュータと連動しての管理・保守が大幅に改善される。
【発明を実施するための最良の形態】
【００６１】
以下、図面について本発明の実施形態を説明する。
【００６２】
本発明は、地図上の任意の位置の緯度・経度の数値を、下記数式に基づき緯度該当数値ＯＷＰと経度該当数値ＯＷＱとして１０進法で表示する。
＜数１＞
緯度数値をＰとし、経度数値をＱとした場合、
緯度該当数値ＯＷＰ＝０．５＋Ｐ／３６０
経度該当数値ＯＷＱ＝０．５＋Ｑ／３６０
【００６３】
図１は本発明の地球上および地図上の位置情報表示方法およびそれを用いた地図と座標の１実施形態を示す説明図で、［Ｏｗａ式正方形方眼世界地図］と称するものであり、独自の目盛、補助線を持つのが最大の特徴である。又緯度該当数値ＯＷＰと経度該当数値ＯＷＱのそれぞれを［Ｏｗａ率］と称し、Ｏｗａ率に１００００００００（１億、１０の８乗とも言う）を乗じて生じた数値、整数部分８桁と小数点以下の任意の桁を採用し、南北方向および東西方向をそれぞれの数値で表した数を［Ｏｗａ値］と称する。
【００６４】
本地図では、縦軸に０〜１の値を持っているＸ軸［１］、横軸に０〜１の値を持っているＹ軸［２］の表として形成する。このＸＹ座標の中に正距円筒図法による世界地図［３］をおいた。
【００６５】
緯度については、赤道［４］（南緯０度）から南極点［５］（南緯９０度）を経由して地球の裏側の赤道［６］まで延長し、その裏側の赤道［６］を南緯１８０度、同様に赤道［４］（北緯０度）から北極点［７］（北緯９０度）を経由して地球の裏側の赤道［８］まで延長しその裏側の赤道を北緯１８０度とみなし、緯度も１周３６０度の考えを取り入れた。このようにして、緯度・経度共に３６０度とみなした。
【００６６】
この図１の世界地図で、赤道４に該当する線はＸ＝０．５０であり、南緯９０度（南極点、この場合正距円筒図法の表現限界でいうなら南極線で表現される）はＸ＝０．２５、同様に北緯９０度（北極点、この場合正距円筒図法の表現限界でいうなら北極線で表現される）はＸ＝０．７５となる。
【００６７】
冗長部ではあるが、この図中には緯度３６０度、経度３６０度を理解しやすくする目的で、南緯９０度〜南緯１８０度、北緯９０度〜北緯１８０度を書き込むことが好ましい。
【００６８】
この図中の世界地図で、ロンドンの旧グリニッジ天文台のある西経０度（東経０度）に該当する線はＹ＝０．５０であり、西経１８０度（太平洋の日付変更線近く、日付変更線と同一ではない）はＹ＝０．００、東経１８０度（太平洋の日付変更線近く、日付変更線と同一ではない）はＹ＝１．００となる。
【００６９】
整理すると、南緯１８０度・南緯９０度・南緯０度（北緯０度、赤道にあたる）北緯９０・北緯１８０度はそれぞれＸ＝０．００・Ｘ＝０．２５・Ｘ＝０．５０・Ｘ＝０．７５・Ｘ＝１．００となる
【００７０】
同様に、西経１８０度・西経０度（東経０度）・東経１８０度はそれぞれＹ＝０．００・Ｙ＝０．５０・Ｙ＝１．００となる。
【００７１】
この図中の世界地図で、任意の地点のＸ、Ｙの座標を求めその数値が、緯度該当数値ＯＷＰ、経度該当数値ＯＷＱである。
【００７２】
緯度該当数値ＯＷＰ、経度該当数値ＯＷＱはそれぞれ緯度該当数値ＯＷＰ＝０．５＋Ｐ／３６０、経度該当数値ＯＷＱ＝０．５＋Ｑ／３６０より導き出される。（Ｐ、Ｑはそれぞれ度以下１０進法の緯度表記でＰについて南緯・北緯にそれぞれ−・＋の符号がつき、Ｑについて西経・東経にそれぞれ−・＋の符号がつく）
【００７３】
東京タワーの緯度・経度は、北緯３５°３９′３１．０７″東経１３９°４４′４３．４７″であるが、本発明によれば、５９９０  ５１７５  ８８８１  ８１６８  となり、東京  ９０５１７  ８１８１６と表現することができる。計算は以下の通りである。
【００７４】
東京タワーの緯度・経度
（３５°３９′３１．０７５２″  １３９°４４′４３．４７９６″）
（＋３５．６５８６３２００ ＋１３９．７４５４１１００）
＋３５．６５８６３２００の変換  ０．５＋３５．６５８６３２／３６０＝０．５９９０５１７５５
＋１３９．７４５４１１００の変換  ０．５＋１３９．７４５４１１／３６０＝０．８８８１８１６９７
【００７５】
伝統的緯度・経度より度以下１０進法緯度・経度への変換を行った。すなわち、伝統的緯度・経度をＡ°Ｂ′Ｃ″とした時、度以下１０進法緯度・経度＝Ａ＋Ｂ／６０＋Ｃ／６０×６０となる。
【００７６】
（例  東京タワーの緯度・経度）
３５°３９′３１．０７５２″の変換  ３５．６５８６３２００＝３５＋３９／６０＋３１．０７５２／６０×６０
１３９°４４′４３．４７９６″の変換  １３９．７４５４１１００＝１３９＋４４／６０＋４３．４７９６／６０×６０
【００７７】
同様に、エッフェル塔、ニューヨークの自由の女神、シドニーのオペラハウスは下記の表の通りである。
【表１】
2010061092.tif 000003
【表２】
2010061092.tif 000004
【表３】
2010061092.tif 000005
【００７８】
本発明におけるＯｗａ値の基本表記は、新緯度・新経度の数値的な並びは最初の数値の塊が新緯度、後ろが新経度となる。本発明システムの基本数値表現は８桁と８桁となるが、表記上の桁数は特に固定せず、状況により２桁、４桁、９桁（小数点以下を含む）等様々な設定を選択できる。その時その時で他と混同、地図の枠外に注記する等、誤解しない表記を採用するならば自由である。
【００７９】
本発明の具体的な利用方法としては
（１）地球儀および地図帳で索引等より１０進法の目盛なのでより感覚的に素早く探せる。
（２）物流の世界にてドアｔｏドア配送が能率的にできる。
（３）自動車を利用する場合、Ｏｗａ値を利用する事により世界中の多数の言語による複雑な表記の詳しい地名、番地なしで目的地まで到着する事ができる。
（４）インターネット時代に相応しい地図に関する検索能率が格段に向上する。
（５）道路上の看板・道路標識・道案内の標識・観光地等のスポット情報に短い数値や記号のような感じで位置情報を載せることができる。
（６）主に測量を含む土木・建築関係や地殻変動のデータに使用できる。
（７）行政上において地番、家屋番号等正確さを要する登記事項があいまいさなしの管理ができる。
【００８０】
行政的な利用方法として、住所、番地は厳密な規則性は無いが、Ｏｗａ値は緯度・経度と完全に互換がある。例えば東京都豊島区高田１−３６−２２には「ギャラリーゆめじ」以外の建物が５棟以上ある。この場合、家屋番号のように建物が増えたらいくらでも増やせる利便性がある。そして本発明方法のＯｗａ値方式ならはっきりと識別できる。
【００８１】
東京都豊島区高田１丁目３６番２２号にある「ギャラリーゆめじ」の本発明方法のＯｗａ値表示は、東京都豊島区高田１丁目３６番２２号が、本発明のＯｗａ値では、５９９２  １６０４／８８８０  ９９５１である。
普通の日常使う表札等の住居表示等（南北方向４ｍ  東西３．３ｍの精度で十分なとき）では、Ｏｗａ値の一部  ５９９２  １６０４／８８８０  ９９５１  から一部数字を採用し、１丁目の後ろにつける。又、このとき旧来の住所の数字と混同されないように＊印を頭につける。
東京都豊島区高田１丁目＊１６０−９９５（＊以下が絶対番地）
【００８２】
この場合、高田１丁目が南北方向４ｋｍ、東西３．３ｋｍの範囲内に納まることが条件である。
家屋番号等の登記記録の場合（南北方向  ０．４ｍ  東西  ０．３３ｍの精度で十分なとき）は、東京都豊島区高田１丁目＊１６０４−９９５１（＊以下が絶対番地）となる。
【００８３】
本発明の表示方法の種類は下記３通りに分類できる。
＜Ｏｗａ値Ｌ型＞  物流の世界にて地球規模でドアｔｏドア配送が能率的にできる。
＜Ｏｗａ値Ｍ型＞  自動車等を利用する場合、全世界で間違い無く目的地まで到着できる。
＜Ｏｗａ値Ｓ型＞  主に測量を含む土木・建築関係や地殻変動データに使用できる。
【００８４】
各々について、詳細を説明する。
［Ｏｗａ値Ｌ型］
Ｏｗａ率の小数点以下８桁を基本とし、緯度・経度  計１６桁である。１６桁の基本表記を言う。位置情報数値としては万能かつ一定以上の精度を持つ。この８桁×８桁の末尾の精度は４０ｃｍなので実際の生活において混同の可能性は殆どない。物流の世界にて数字のみで地球規模でのドアｔｏドア配送が能率的にできる。
【００８５】
例えば前例で示した東京都豊島区高田１−３６−２２（斜線部）には「ギャラリーゆめじ」（Ａ）以外の建物が５棟以上ある。（図２参照）
【００８６】
この場合、１丁目３６番２２号に建物がいくらあろうとも末尾４０ｃｍの精度となので本発明である＜Ｏｗａ値方式＞ならそれぞれの玄関までもがはっきりと識別できる。ちなみに「ギャラリーゆめじ」のＯｗａ値表示は、東京都豊島区高田１丁目３６番２２号がＯｗａ値  ５９９２  １６０４  ／  ８８８０  ９９５１  となる。これは実際には「ギャラリーゆめじ」の入り口玄関マットの位置になる。このような簡略かつ数値だけで他の建物との混同も無く厳密に確定できる。
【００８７】
［Ｏｗａ値Ｍ型］
都市名＋１０桁である。別名［なび値］とも呼ぶ。Ｌ型もそうであるが、特にこのＭ型はＷｅｂあるいは携帯電話や紙媒体での場所の特定に種々に利用される。又、特定された都市内においては桁数が少ない数字１０桁なので覚えやすく、タクシーの利用や友人宅等を訪れる時の住所代わりに用いることができる。
【００８８】
精度はちなみに北緯３５度にて南北方向４．０ｍ、東西方向３．３ｍである。この精度のため、各建物の玄関まで正確に誘導できる。Ｏｗａ値の各８桁の５９９２  １６０４／８８８０  ９９５１  から、中５桁を取り出して９２−１６０  ８０−９９５  とする。
これら取り出した数値がＯｗａ値Ｍ型で、特に愛称で＜なび値＞と呼ぶ。
基本的な表記は［都市名］と［数字の必要桁数  ５桁＋５桁］である。
【００８９】
東京都港区麻布台２丁目にある日本経緯度原点の＜なび値＞は、
例＜なび値＞  東京都    ９０５０２／８１７０４  
東京都  ９０−５０２    ８１−７０４
東京    ９０５０２    ８１７０４    
Ｔｏｋｙｏ＊９０５０２−８１７０４＊
の様に表記される。
【００９０】
なお、Ｏｗａ値の各上位２桁（前出のＯｗａ値にては５９と８８）が表す範囲は南北方向４００ｋｍ・東西方向４００ｋｍ以下（緯度により差がでる）の広さのため世界中の大都市等の周辺も表記可能となる。
【００９１】
［なび値］を世界標準とすれば、例えば、外国の観光地でタクシーに乗った時＜なび値＞を書いたメモを見せると、末尾の精度は４ｍなので建物等の前迄到着することができる。
［東京  ９０５１７／８１８６９］（東京タワー）
［Ｐａｒｉｓ  ５７１９５  ６３７２９］（エッフェル塔）
【００９２】
［Ｏｗａ値Ｓ型］
Ｏｗａ値の８桁以下のカンマを含む数値である。狭いエリアなので上位の数桁を省く場合がある。主に測量を含む土木・建築関係に使用する。
【００９３】
電信柱や植樹あるいは下水道のマンホール等の物体や中心点等の管理に向く。この場合、精度がとても重要なので精度だけについて述べると、カンマ以下３桁目の精度は０．４ｍｍである。
【００９４】
前記の例を用いて説明する。
たとえば、東京都港区麻布台２−２−１にある日本経緯度原点には下記の如く緯度・経度が詳しく表記されている。
北緯  ３５°３９′２９．１５７２″
東経  １３９°４４′２８．８７５９″
【００９５】
この地点の下記表記の緯度・経度から＜Ｏｗａ値＞を求めると
北緯  ３５°３９′２９．″１５７２  度以下百分率緯度  ＋３５．６５８０９９２２
東経  １３９°４４′２８．″８７５９  度以下百分率経度  ＋１３９．７４１３５４４１
緯度Ｏｗａ率  ０．５９９０５０２７５６  経度Ｏｗａ率  ０．８８８１７０４２８９
南北方向Ｏｗａ値  ５９９０  ５０２７．５６  東西方向Ｏｗａ値  ８８８１  ７０４２．８９
Ｏｗａ値  ０２７．５６／０４２．８９
日本経緯度原点の中心点
麻布台２−２−１＊０２７．５６／０４２．８９（＊以下が絶対番地）
ここで麻布台２−２−１という住所の範囲が実際は４０ｍ×３３ｍ四方の範囲かもしれないが、その場合は小数点以上２桁で十分であるが、安全率を考えて小数点以上３桁を採用したその場合は小数点以上２桁で十分であるが、安全率を考えて小数点以上３桁を採用した。（南北４００ｍ、東西３３０ｍの特定した範囲のなかで、南北４ｍｍ  東西３．３ｍｍの精度である）
【００９６】
本発明を用いて２点間の距離を求めることも可能である。
すなわち、まず、各地点を下記数式に基づき緯度該当数値ＯＷＰと経度該当数値ＯＷＱとして１０進法で表示する。
＜数１＞
緯度数値をＰとし、経度数値をＱとした場合、
緯度該当数値ＯＷＰ＝０．５＋Ｐ／３６０
経度該当数値ＯＷＱ＝０．５＋Ｑ／３６０
そして、これらの数値同士の差の値を、東西方向の１Ｏｗａ値の長さ０．３２ｍと南北方向の１Ｏｗａ値の長さ０．４０ｍを単位に距離に変換する。
【００９７】
札幌市役所と鹿児島市役所の２点間の距離を求める場合、２つの緯度・経度は下記の通りである。
2010061092.tif 000006
二つの地点の
“Ｏｗａ値の差”
南北Ｏｗａ値  ６１９６１６９３  ５８７７６８２０  ３１８４８７３    Ａ
東西Ｏｗａ値  ８９２６５１０４  ８６２６５８６５  ２９９９２３９    Ｂ
札幌市役所と鹿児島市役所の中間緯度
札幌市役所の緯度    ４３度
鹿児島市役所の緯度  ３１度
両所の平均緯度      ３７度
上記平均緯度の東西方向の１Ｏｗａ値の長さ  ０．３２ｍ
理科年表による（高緯度は縮む）
南北方向の１Ｏｗａ値の長さ  ０．４０ｍ  
緯度によらずほぼ一定    ０．３２／１０００＝０．０００３２ｋｍ    Ｃ
０．４０／１０００＝０．０００４０ｋｍ    Ｄ
０．０００４０×３１８４８７３＝１２７３．９５ｋｍ    Ｄ×Ａ＝Ｅ
０．０００３２×２９９９２３９＝９５９．７６ｋｍ    Ｃ×Ｂ＝Ｆ
１２７３．９５×１２７３．９５＝１６２２９４６．５６４２    Ｅ×Ｅ
９５９．７６×９５９．７６＝９２１１３２．５００９    Ｆ×Ｆ
２５４４０７９．０６５１    Ｅ×Ｅ＋Ｆ×Ｆ  √２５４４０７９．０６５１＝１５９５．０１６９ｋｍ
札幌市役所と鹿児島市役所の距離
１５９５．０１６９ｋｍ    Ｏｗａ値より算出
国土地理院の下記Ｗｅｂから    １５８９．１９５２ｋｍ
（アドレスはhttp://vldb.gsi.go.jp/sokuchi/surveycalc/xy2stf.htm）
誤差わずか  ５．８２１７ｋｍ    ０．３７％である。
【００９８】
本発明を用いて２点間の距離を求める第２例を述べる。前記東京都豊島区高田１丁目３６番２２号にある「ギャラリーゆめじ」とＪＲ目白駅との比較的近い距離を求める場合である。
東京都豊島区高田１丁目３６番２２号が、本発明のＯｗａ値では、５９９２  １６１２／８８８０  ９８９５である。
それぞれの緯度・傾度は下記の通りである。
2010061092.tif 000007
“二つの地点のＯｗａ値の差”
南北Ｏｗａ値  ５９９２１５９３    ５９９２２６０９    −１０１６    Ａ
東西Ｏｗａ値  ８８８０９９４９    ８８８０７４１１      ２５３８    Ｂ
「ギャラリーゆめじ」と目白駅の中間緯度
「ギャラリーゆめじ」の緯度  ３５．７度
目白駅の緯度  ３５．７度
両所の平均緯度  ３５．７度
上記平均緯度の東西方向の  １  Ｏｗａ値の長さ  ０．３２ｍ
理科年表による（高緯度は縮む）
南北方向の  １  Ｏｗａ値の長さ  ０．４０ｍ
緯度によらずほぼ一定
南北Ｏｗａ値  代入        東西Ｏｗａ値  代入
０．３２／１０００＝０．０００３２ｋｍ    Ｃ
０．４０／１０００＝０．０００４０ｋｍ    Ｄ
０．０００４０×−１０１６＝−０．４１ｋｍ    Ｄ×Ａ  ＝Ｅ
０．０００３２×２５３８＝０．８１ｋｍ    Ｃ×Ｂ＝Ｆ
−０．４１×−０．４１＝０．１６５２    Ｅ×Ｅ
０．８１×０．８１＝  ０．６５９６    Ｆ×Ｆ
０．８２４８  Ｅ×Ｅ＋Ｆ×Ｆ    √０．８２４８＝０．９０８２ｋｍ    都市計画図１／２，５００より  ０．９１５０ｋｍ  誤差わずか（０．００６８）ｋｍ  ６．８ｍの０．７５％である。
【００９９】
以上が本発明の地球上および地図上の位置情報表示方法およびそれを用いた地図と座標であるが、これらを内容とした位置情報を格納した電子媒体に格納した物体、もしくは、コンピュータシステム又はコンピュータプログラムとして本発明を構成することも可能である。
【０１００】
ここで電子媒体とは、電子計算機（コンピュータ）での情報処理に使用する記録媒体の総称をいい、主記憶装置（メモリー）以外の記憶装置（すなわち補助記憶装置）に使用されている媒体を指す。テープタイプ、ディスクタイプ、メモリータイプのいずれを問わない。
【０１０１】
現在広く使用されている電子媒体のうち、主な物は、磁気テープ、DDS（デジタル・データ・ストレージ）、ハードディスクドライブ（HDD）、FD、光ディスク 、CD、CD-ROM、CD-R、CD-RW、DVD、DVD-R、DVD-RW、DVD-RAM、BD（ブルーレイディスク）、LD（レーザーディスク）、光磁気ディスク(MO)、MD（ミニディスク）、フラッシュメモリ、USBメモリ、メモリーカード等である。
【０１０２】
本発明により、位置情報と地点名称を組み合わせたデータを得て、これを電子媒体に格納し、収納した電子媒体による物体を利用する事により、ＧＰＳ（全地球測位システム）・ＩＴＳ（高度道路交通システム）・ＧＩＳ（地理情報システム）等と組み合わせる事により、効率的なコンピュータシステムが得られる。
【０１０３】
さらに、前記特定地点の位置情報データを収録した電子媒体を含むコンピュータシステムとして構成することも可能である。
【０１０４】
ここで用いるコンピュータプログラムは、本発明の地球上および地図上の位置表示方法により、入力値か引数を度分秒表示の緯度・経度あるいは度以下１０進法の緯度・経度とした場合の緯度該当数値・経度該当数値を求めることを内容とするものである。
【０１０５】
コンピュータに組み込まれＯｗａ値を求めるプログラムをプログラムｏｗＰとすると、以下、Ｃ言語でコーディングされたプログラムｏｗＰを記す。
void owaP(char *La, char *Lb, char *La_owa, char *Lb_owa)
{double  a,b,ans_a,ans_b;
char    *pa,*pb;
a = strtod(La,&pa);
b = strtod(Lb,&pb);
ans_a = 0.5 + a/360;
ans_b = 0.5 + b/360;
ans_a -= 0.0000000000005;
ans_b -= 0.0000000000005;
sprintf(La_owa,”%+017.12f”,ans_a);
sprintf(Lb_owa,”%+017.12f”,ans_b);}
【０１０６】
図３に本発明のＯｗａ率算出プログラムの概略フローを示す。演算装置を用いて経度および緯度を固有コードへ変換する地理的座標変換方法によるものであって、前記演算装置において、経度および緯度を受け付ける受付工程と、前記緯度および経度の情報を、緯度入力値を緯度Ｏｗａ率へ変換［緯度Ｏｗａ率＝0.5＋緯度入力値÷360］、経度入力値を経度Ｏｗａ率へ変換［経度Ｏｗａ率＝0.5＋経度入力値÷360］する変換工程と、変換した緯度・経度Ｏｗａ率を出力する出力工程からなる。
【０１０７】
前記経度および緯度を受け付ける受付工程では、キーボード、他のコンピュータプログラムの出力部、又は地図画面上で地点を指定することにより緯度および経度情報を出力する地図情報処理装置やナビゲーション装置、等から、緯度および経度の情報を受け付ける。
【０１０８】
前記出力工程では、ディスプレイや、地図情報処理装置やナビゲーション装置等の他の装置、又は他のコンピュータプログラムの入力部、等に対して、変換された緯度・経度Ｏｗａ率を出力する。
【０１０９】
又、前記本発明による地球上および地図上の位置表示方法より得られた特定地点の位置情報データおよびデータ入力機等でデータを読み込むために位置情報データを記号化することもできる。
【０１１０】
記号化の種類としては、光学式マーク認識、二次元コード、ＰＯＳシステム、ＱＲコード、ＳＰコード、インタクタコード、バーコードバトラー、ＩＳＢＮ、カスタマバーコード等がある。
【０１１１】
このように記号化したものを利用することにより、道路の現在位置の表示や道案内標識の表示又は観光地等のスポット表示等の位置が正確、単純になる。さらに例えば観光地図や道案内に表示されている位置情報又はその位置情報を記号化させたもの（例えばバーコード等も含む）を携帯電話等で位置データとして読み込み目的位置を携帯電話の地図表記機能と連動させたり、カーナビ等の目的地として採用する等の入力が地名番地を入力しないで簡便になる。
【０１１２】
さらに、前記バーコードに代えて、非接触ＩＣカードＲＦＩＤ（Ｒａｄｉｏ  Ｆｒｅｑｕｅｎｃｙ  ＩＤｅｎｔｉｆｉｃａｔｉｏｎ）を初めとするＩＣタグに前記本発明による地球上および地図上の位置表示方法より得られた特定地点の位置情報データを収めて使用することも可能である。
【図面の簡単な説明】
【０１１３】
【図１】本発明の地球上および地図上の位置情報表示方法およびそれを用いた地図と座標の１実施形態を示す説明図である。
【図２】東京都豊島区高田１−３６−２２の住宅地図である。
【図３】本発明のコンピュータプログラムのフロー図である。
【符号の説明】
【０１１４】
１…Ｘ軸                                ２…Ｙ軸
３…世界地図                            ４…赤道
５…南極点                              ６…地球の裏側の赤道
７…北極点                              ８…地球の裏側の赤道
【図１】
2010061092.tif 000008
【図２】
2010061092.tif 000009
【図３】
2010061092.tif 000010